(57)【特許請求の範囲】
【請求項１】
鉱物油の酸化を防止するための酸化防止剤濃縮物組成物であって、
（ｉ）全ての重量％で酸化防止剤濃縮物組成物の全重量を基準にして、：０．１〜５重量％のジベンジルヒドロキシルアミン、０．１〜９９．９重量％のオルト−ｔｅｒｔ−ブチルフェノール、および０〜９９．８重量％の２，６−ジ−ｔｅｒｔ−ブチルフェノール、
（ｉｉ）全ての重量％で酸化防止剤濃縮物組成物の全重量を基準にして、：５〜２０重量％のジベンジルヒドロキシルアミン、および８０〜９５重量％のオルト−ｔｅｒｔ−ブチルフェノール、
（ｉｉｉ）全ての重量％で酸化防止剤濃縮物組成物の全重量を基準にして、：０．１〜５重量％のジベンジルヒドロキシルアミン、３０〜９５重量％の３，５−ジ−ｔｅｒｔ−ブチル−４−ヒドロキシフェニルヒドロ桂皮酸、Ｃ７〜Ｃ９分枝状アルキルエステル、および０〜７０重量％の２，６−ジ−ｔｅｒｔ−ブチルフェノール、または
（ｉｖ）全ての重量％で酸化防止剤濃縮物組成物の全重量を基準にして、：０．１〜５重量％のジベンジルヒドロキシルアミン、および９５〜９９．９重量％の４，４’−メチレンビス（２，６−ジ−ｔｅｒｔ−ブチルフェノール）
を含む酸化防止剤濃縮物組成物。
【請求項２】
鉱物油を含む鉱物油組成物であって、ジベンジルヒドロキシルアミンと：
オルト−ｔｅｒｔ−ブチルフェノール、
２，６−ジ−ｔｅｒｔ−ブチルフェノール、
３，５−ジ−ｔｅｒｔ−ブチル−４−ヒドロキシフェニルヒドロ桂皮酸、Ｃ７〜Ｃ９分枝状アルキルエステル、
４，４’−メチレンビス（２，６−ジ−ｔｅｒｔ−ブチルフェノール）、およびこれらの混合物からなる群から選択される少なくとも１種のヒンダードフェノールと
を含む鉱物油組成物。
【請求項３】
鉱物油が、０〜３０重量％の芳香族炭化水素、５〜７０重量％のナフテン系炭化水素、および１０〜９０重量％のパラフィン系炭化水素を含む、請求項２に記載の組成物。
【請求項４】
鉱物油が、全ての重量％で鉱物油組成物の全重量を基準にして、９６〜９９．９５重量％の鉱物油、１ｐｐｍ〜１０００ｐｐｍのジベンジルヒドロキシルアミン、０．０１０〜２重量％のオルト−ｔｅｒｔ−ブチルフェノール、および０〜２重量％の２，６−ジ−ｔｅｒｔ−ブチルフェノールを含む、請求項２に記載の組成物。
【請求項５】
鉱物油が、全ての重量％で鉱物油組成物の全重量を基準にして、９８〜９９．７５重量％の鉱物油、１５ｐｐｍ〜１８００ｐｐｍのジベンジルヒドロキシルアミン、および０．２５〜１．５重量％のオルト−ｔｅｒｔ−ブチルフェノールを含む、請求項２に記載の組成物。
【請求項６】
鉱物油が、全ての重量％で鉱物油組成物の全重量を基準にして、９６〜９９．７５重量％の鉱物油、１ｐｐｍ〜１０００ｐｐｍのジベンジルヒドロキシルアミン、０．２５〜２重量％の３，５−ジ−ｔｅｒｔ−ブチル−４−ヒドロキシフェニルヒドロ桂皮酸、Ｃ７〜Ｃ９分枝状アルキルエステル、および０〜２重量％の２，６−ジ−ｔｅｒｔ−ブチルフェノールを含む、請求項２に記載の組成物。
【請求項７】
鉱物油が、全ての重量％で鉱物油組成物の全重量を基準にして、９８〜９９．８５重量％の鉱物油、１ｐｐｍ〜１０００ｐｐｍのジベンジルヒドロキシルアミン、および０．１〜２重量％の４，４’−メチレンビス（２，６−ジ−ｔｅｒｔ−ブチルフェノール）を含む、請求項２に記載の組成物。
【請求項８】
鉱物油の色を低減させる方法であって：
ジベンジルヒドロキシルアミンと、
オルト−ｔｅｒｔ−ブチルフェノール、
２，６−ジ−ｔｅｒｔ−ブチルフェノール、
３，５−ジ−ｔｅｒｔ−ブチル−４−ヒドロキシフェニルヒドロ桂皮酸、Ｃ７〜Ｃ９分枝状アルキルエステル、
４，４’−メチレンビス（２，６−ジ−ｔｅｒｔ−ブチルフェノール）、およびこれらの混合物からなる群から選択される少なくとも１種のヒンダードフェノールとを鉱物油と接触させて、鉱物油組成物を形成する工程と；鉱物油組成物を室温〜１２０℃の温度で加熱する工程と
を含む方法。
【請求項９】
鉱物油組成物の温度が、３０℃〜１２０℃である、請求項８に記載の方法。
【請求項１０】
鉱物油組成物の温度が、５０℃〜１００℃である、請求項８に記載の方法。
【請求項１１】
鉱物油組成物を加熱する工程が、０．２５〜２０時間行われる、請求項８に記載の方法。
【請求項１２】
鉱物油が１００超のＡＰＨＡ色を有する、請求項８に記載の方法。
【発明の詳細な説明】
【技術分野】
【０００１】
本発明は、色安定性が改良されたヒンダードフェノール系酸化防止剤含有鉱物油に関する。より詳細には、脱酸素剤、すなわち、ジベンジルヒドロキシルアミン（ＤＢＨＡ）を含有する色安定性ヒンダードフェノール系濃縮物または鉱物油ブレンドに関する。
【背景技術】
【０００２】
ヒンダードフェノール系化合物は、潤滑油および燃料用途において効果的な酸化防止剤として用いられてきた。フェノール系化合物は、酸化連鎖反応において存在するペルオキシラジカルと反応して、安定な酸化防止剤ラジカルを形成するため、さらなる分解が防止される。しかし、鉱物油およびヒンダードフェノール系化合物は、日光、酸素および／または加熱への暴露から変色する傾向を有する。鉱物油およびヒンダードフェノール系化合物の酸化は、着色された共役種を結果として生ずる。さらなる変色に起因して、黄色または桃色から暗赤色までの範囲の色が経時的に生じ得る。酸化に起因した変色の結果としての鉱物油の色の変化は、かかる油の商業的価値を下げる。鉱物油の使用者は、汚染の尺度として色を用いることが多く、高度な着色は、使用が許容されない汚染された油であることを示唆している。したがって、耐酸化性かつ色安定性である鉱物油製剤を提供することが商業的に有利である。
【発明の概要】
【０００３】
本発明は、鉱物油の酸化を防止するのに好適な酸化防止剤組成物であって、ジベンジルヒドロキシルアミンと、（ｉ）オルト−ｔｅｒｔ−ブチルフェノール、（ｉｉ）２，６−ジ−ｔｅｒｔ−ブチルフェノール、（ｉｉｉ）３，５−ジ−ｔｅｒｔ−ブチル−４−ヒドロキシフェニルヒドロ桂皮酸、Ｃ７〜Ｃ９分枝状アルキルエステル、（ｉｖ）４，４’−メチレンビス（２，６−ジ−ｔｅｒｔ−ブチルフェノール）、およびこれらの混合物からなる群から選択される少なくとも１種のヒンダードフェノールとを含む酸化防止剤組成物に関する。
【０００４】
ジベンジルヒドロキシルアミン（ＤＢＨＡ）とヒンダードフェノール系酸化防止剤との組み合わせが、鉱物油中の酸化防止剤として効果的な非着色ヒンダードフェノール系酸化防止剤系を生成することを発見した。また、ある一定のジベンジルヒドロキシルアミンと１種以上のヒンダードフェノール系酸化防止剤との組み合わせが、室温で完全に液状であって、ナフテン系および／またはパラフィン系鉱物油に添加されたときに酸化防止剤として効果的である非着色ヒンダードフェノール系酸化防止剤系濃縮物を生成する際に効果的であることも発見した。本発明はまた、標準色でない鉱物油の色を低減する方法であって：（ｉ）ジベンジルヒドロキシルアミンを鉱物油と接触させて、鉱物油組成物を形成する工程と；（ｉｉ）鉱物油組成物を約室温〜約１２０℃の温度で加熱する工程とを含む方法にも関する。
【発明を実施するための形態】
【０００５】
本発明は、鉱物油の酸化を防止するのに好適な酸化防止剤濃縮物組成物であって、ジベンジルヒドロキシルアミン（ＤＢＨＡ）と、（ｉ）オルト−ｔｅｒｔ−ブチルフェノール、（ｉｉ）２，６−ジ−ｔｅｒｔ−ブチルフェノール、（ｉｉｉ）３，５−ジ−ｔｅｒｔ−ブチル−４−ヒドロキシフェニルヒドロ桂皮酸、Ｃ７〜Ｃ９分枝状アルキルエステル、（ｉｖ）４，４’−メチレンビス（２，６−ジ−ｔｅｒｔ−ブチルフェノール）、およびこれらの混合物からなる群から選択される少なくとも１種のヒンダードフェノールとを含む酸化防止剤濃縮物組成物に関する。
【０００６】
一実施形態において、酸化防止剤濃縮物組成物は、酸化防止剤濃縮物組成物の全重量を基準にして、全て重量％で、約０．１〜約５重量％のジベンジルヒドロキシルアミン、約０．１〜約９９．９重量％のオルト−ｔｅｒｔ−ブチルフェノール、および０〜約９９．８重量％の２，６−ジ−ｔｅｒｔ−ブチルフェノールを含む。
【０００７】
別の実施形態において、酸化防止剤濃縮物組成物は、酸化防止剤濃縮物組成物の全重量を基準にして、全て重量％で、約５〜約２０重量％のジベンジルヒドロキシルアミン、および約８０〜約９５重量％のオルト−ｔｅｒｔ−ブチルフェノールを含む。
【０００８】
別の実施形態において、酸化防止剤濃縮物組成物は、酸化防止剤濃縮物組成物の全重量を基準にして、全て重量％で、約０．１〜約５重量％のジベンジルヒドロキシルアミン、約３０〜約９５重量％の３，５−ジ−ｔｅｒｔ−ブチル−４−ヒドロキシフェニルヒドロ桂皮酸、Ｃ７〜Ｃ９分枝状アルキルエステル、および０〜約７０重量％の２，６−ジ−ｔｅｒｔ−ブチルフェノールを含む。
【０００９】
別の実施形態において、酸化防止剤濃縮物組成物は、酸化防止剤濃縮物組成物の全重量を基準にして、全て重量％で、約０．１〜約５重量％のジベンジルヒドロキシルアミン、および約９５〜約９９．９重量％の４，４’−メチレンビス（２，６−ジ−ｔｅｒｔ−ブチルフェノール）を含む。
【００１０】
概して、酸化防止剤濃縮物組成物は、酸化防止剤濃縮物組成物の全重量を基準にして、全て重量％で、約０．１〜約１５重量％のジベンジルヒドロキシルアミン、約０．１〜約１０重量％のジベンジルヒドロキシルアミン、約０．１〜約５重量％のジベンジルヒドロキシルアミン、約０．１〜約２重量％のジベンジルヒドロキシルアミン、または約０．１〜約１重量％のジベンジルヒドロキシルアミンを含む。同様に、酸化防止剤濃縮物組成物はまた、酸化防止剤濃縮物組成物の全重量を基準にして、全て重量％で、約８５〜約９９．９重量％の少なくとも１種のヒンダードフェノール、約９０〜約９９．９重量％の少なくとも１種のヒンダードフェノール、約９５〜約９９．９重量％の少なくとも１種のヒンダードフェノール、約９８〜約９９．９重量％の少なくとも１種のヒンダードフェノール、または約９９〜約９９．９重量％の少なくとも１種のヒンダードフェノールを含むこともできる。
【００１１】
本発明は、鉱物油と、ジベンジルヒドロキシルアミンと、（ｉ）オルト−ｔｅｒｔ−ブチルフェノール、（ｉｉ）２，６−ジ−ｔｅｒｔ−ブチルフェノール、（ｉｉｉ）３，５−ジ−ｔｅｒｔ−ブチル−４−ヒドロキシフェニルヒドロ桂皮酸、Ｃ７〜Ｃ９分枝状アルキルエステル、（ｉｖ）４，４’−メチレンビス（２，６−ジ−ｔｅｒｔ−ブチルフェノール）、およびこれらの混合物からなる群から選択される少なくとも１種のヒンダードフェノールとを含む鉱物油組成物にも関する。
【００１２】
一実施形態において、鉱物油は、鉱物油の全重量を基準にして、全ての重量％で、約０〜約３０重量％の芳香族炭化水素、約５〜約７０重量％のナフテン系炭化水素、および約５〜約９０重量％のパラフィン系炭化水素を含む。
【００１３】
一実施形態において、鉱物油は、鉱物油の全重量を基準にして、全ての重量％で、約０．５〜約３０重量％の芳香族炭化水素、約５〜約７０重量％のナフテン系炭化水素、および約１０〜約９０重量％のパラフィン系炭化水素を含む。
【００１４】
別の実施形態において、鉱物油は、鉱物油組成物の全重量を基準にして、全ての重量％で、約９６〜９９．９５重量％の鉱物油、約１ｐｐｍ〜約１０００ｐｐｍのジベンジルヒドロキシルアミン、約０．０１０〜約２重量％のオルト−ｔｅｒｔ−ブチルフェノール、
および０〜約２重量％の２，６−ジ−ｔｅｒｔ−ブチルフェノールを含む。
【００１５】
別の実施形態において、鉱物油は、鉱物油組成物の全重量を基準にして、全ての重量％で、約９８〜９９．７５重量％の鉱物油、約１５ｐｐｍ〜約１８００ｐｐｍのジベンジルヒドロキシルアミン、および約０．２５〜約１．５重量％のオルト−ｔｅｒｔ−ブチルフェノールを含む。
【００１６】
別の実施形態において、鉱物油は、鉱物油組成物の全重量を基準にして、全ての重量％で、約９６〜９９．７５重量％の鉱物油、約１ｐｐｍ〜約１０００ｐｐｍのジベンジルヒドロキシルアミン、約０．２５〜約２重量％の３，５−ジ−ｔｅｒｔ−ブチル−４−ヒドロキシフェニルヒドロ桂皮酸、Ｃ７〜Ｃ９分枝状アルキルエステル、および０〜約２重量％の２，６−ジ−ｔｅｒｔ−ブチルフェノールを含む。
【００１７】
別の実施形態において、鉱物油は、鉱物油組成物の全重量を基準にして、全ての重量％で、約９８〜９９．８５重量％の鉱物油、約１ｐｐｍ〜約１０００ｐｐｍのジベンジルヒドロキシルアミン、および０．１〜約２重量％の４，４’−メチレンビス（２，６−ジ−ｔｅｒｔ−ブチルフェノール）を含む。
【００１８】
概して、鉱物油組成物はまた、鉱物油組成物の全重量を基準にして、全ての重量％で：約１ｐｐｍ〜約１０，０００ｐｐｍ（すなわち、１重量％）のジベンジルヒドロキシルアミン、約１ｐｐｍ〜約５０００ｐｐｍのジベンジルヒドロキシルアミン、約１ｐｐｍ〜約１０００ｐｐｍのジベンジルヒドロキシルアミン、約１ｐｐｍ〜約５００ｐｐｍのジベンジルヒドロキシルアミン、約１ｐｐｍ〜約２５０ｐｐｍのジベンジルヒドロキシルアミン、または約１ｐｐｍ〜約１００ｐｐｍのジベンジルヒドロキシルアミンを含むこともできる。
【００１９】
同様に、鉱物油組成物はまた、鉱物油組成物の全重量を基準にして、全ての重量％で、約．００１〜約５重量％の少なくとも１種のヒンダードフェノール、約０．０１〜約４重量％の少なくとも１種のヒンダードフェノール、約０．０２５〜約３重量％の少なくとも１種のヒンダードフェノール、約０．０２５〜約２重量％の少なくとも１種のヒンダードフェノール、または約０．０２５〜約１重量％の少なくとも１種のヒンダードフェノールを含むこともできる。
【００２０】
加えて、鉱物油組成物はまた、鉱物油組成物の全重量を基準にして、全ての重量％で、約９５〜約９９．９９重量％の鉱物油、約９６〜約９９．９５重量％の鉱物油、約９７〜約９９．８５重量％の鉱物油、約９８〜約９９．７５重量％の鉱物油、または約９８．５〜約９９．５重量％の鉱物油を含むこともできる。
【００２１】
鉱物油組成物はまた、組成物を種々の用途における使用に許容可能にするように追加の添加剤を含有していてもよい。これらの添加剤として、分散剤、洗剤、粘度指数改良剤、流動点降下剤、耐摩耗性添加剤、極圧添加剤、摩擦調整剤、防錆剤、防食剤、乳化剤、抗乳化剤、消泡剤、着色剤、シール膨潤剤、および追加の酸化防止剤が挙げられる。
【００２２】
本発明はまた、ＤＢＨＡを標準色でない鉱物油に添加して加熱することによって、酸化したまたは標準色でない鉱物油の色を低減するための方法にも関する。具体的には、鉱物油の色を低減させる方法であって：（ｉ）ジベンジルヒドロキシルアミンを鉱物油と接触させて、鉱物油組成物を形成する工程と；（ｉｉ）鉱物油組成物を約室温〜約１２０℃の温度で加熱する工程とを含む方法である。
【００２３】
組成物が穏やかに加熱されるとき、ＤＢＨＡが鉱物油に漂白効果を与えることを発見し
た。酸化、熱的または他の影響によって色が増大した鉱物油などの任意の標準色でない鉱物油は、これをＤＢＨＡと合わせて穏やかに加熱することによって、その色が低減され得る。標準色でない鉱物油の例は、約４００超、約３５０超、約３００超、約２５０超、約２００超、約１５０超、または約１００超のＡＰＨＡ色（ＡＳＴＭ  Ｄ１２０９によって決定される）を有するものである。
【００２４】
穏やかな加熱は、約室温超〜約１２０℃、約３０℃〜約１２０℃または約５０℃〜約１００℃の範囲であり得る。時間量は、約０．２５〜約２０時間、約０．５〜約１０時間または約０．５〜約５時間の範囲であり得る。
実施例
【００２５】
以下の実施例は本発明を説明する。しかし、本発明は、本明細書に完全に記載され、特許請求の範囲に列挙されている通りであり、以下の実施例の詳細によって限定されることを意図していないことが理解されよう。
実施例１〜７
老化鉱物油製剤の色変化
【００２６】
以下の実施例は、いくつかの酸化防止鉱物油製剤および４０℃で１８日にわたって老化させたガードナー色数の変化を比較する。約１重量％の芳香族炭化水素、約４０重量％のナフテン系炭化水素、および約５９重量％のパラフィン系炭化水素を含有する鉱物油を２，６−ジ−ｔｅｒｔ−ブチルフェノール（Ａｌｂｅｍａｒｌｅ  Ｃｏｒｐｏｒａｔｉｏｎ製Ｅｔｈａｎｏｘ４７０１（Ｅ−４７０１））とブレンドした。ジベンジルヒドロキシルアミン（ＤＢＨＡ）またはジエチルヒドロキシアミン（ＤＥＨＡ）のいずれかを添加して色を安定させた。加えて、いくつかの実施例では、老化を加速する酸化触媒として作用する添加された銅（Ｃｕ）と、Ｎ，Ｎ’−ジサリチリデン−１，２−プロパンジアミン金属不活性化剤（Ｅｔｈａｎｏｘ４７０５）とを有した。
【００２７】
色を、ＡＳＴＭ  Ｄ１５４４、「Ｔｅｓｔ  Ｍｅｔｈｏｄ  Ｃｏｌｏｒ  ｏｆ  Ｔｒａｎｓｐａｒｅｎｔ  Ｌｉｑｕｉｄｓ  （Ｇａｒｄｎｅｒ  Ｃｏｌｏｒ  Ｓｃａｌｅ）」に従って、ＡＳＴＭ  Ｄ６１６６、「Ｃｏｌｏｒ  ｏｆ  Ｎａｖａｌ  Ｓｔｏｒｅｓ  ａｎｄ  Ｒｅｌａｔｅｄ  Ｐｒｏｄｕｃｔｓ  （Ｉｎｓｔｒｕｍｅｎｔａｌ  Ｄｅｔｅｒｍｉｎａｔｉｏｎ  ｏｆ  Ｇａｒｄｎｅｒ  Ｃｏｌｏｒ）」において変更されているように測定した。ガードナー色数は、０から１８に及び、０が最も明るい色であり、１８が最も暗い色であった。結果を以下の表１に示す。
【表１】
0005911512.tif 000002
【００２８】
結果は、ＤＢＨＡを用いＣｕで触媒した実施例５が、ＤＢＨＡを用いずＣｕで触媒した実施例Ｃ−２およびＤＥＨＡを用いＣｕで触媒した実施例Ｃ−６と比較して、鉱物油製剤の色安定性を有意に改良することを示している。
実施例８〜１２
鉱物油製剤のＲＰＶＯＴ
【００２９】
回転加圧容器酸化試験（「ＲＰＶＯＴ」）値は、多くの工業潤滑油用途において重要な規格試験であり、該油が酸化環境に耐える能力を測定する。この試験法は、酸素加圧容器を利用して、新しい、使用中の完全に配合された潤滑油、および他の最終的な潤滑剤の酸化安定性を水および銅触媒コイルの存在下に１５０℃で評価する。圧力を２５ｐｓｉに降下させる期間は、試験サンプルの酸化安定性の尺度であり：時間が長いほど、材料の酸化安定性が良好である。ＲＰＶＯＴ値をＡＳＴＭ  Ｄ２２７２によって測定する。以下の実施例は、いくつかの酸化防止鉱物油製剤を比較する。
【００３０】
約１重量％の芳香族炭化水素、約４０重量％のナフテン系炭化水素、および約５９重量％のパラフィン系炭化水素を含有する鉱物油を、ＤＢＨＡまたはブチル化ヒドロキシトルエン（ＢＨＴ）を用いてまたは用いずに、２，６−ジ−ｔｅｒｔ−ブチルフェノール（Ａｌｂｅｍａｒｌｅ  Ｃｏｒｐｏｒａｔｉｏｎ製Ｅｔｈａｎｏｘ４７０１（Ｅ−４７０１））とブレンドした。結果を以下の表２に示す。
【表２】
0005911512.tif 000003
【００３１】
結果は、鉱物油においてＥ−４７０１がＢＨＴよりもかなり良好な酸化防止剤であること、およびＤＢＨＡがＲＰＶＯＴ値に有意に影響しないことを示している。
実施例１２〜１５
鉱物油製剤の光安定性
【００３２】
約１重量％の芳香族炭化水素、約４０重量％のナフテン系炭化水素、および約５９重量％のパラフィン系炭化水素を含有する鉱物油を、ＤＢＨＡまたはブチル化ヒドロキシトルエン（ＢＨＴ）を用いてまたは用いずに、２，６−ジ−ｔｅｒｔ−ブチルフェノール（Ａｌｂｅｍａｒｌｅ  Ｃｏｒｐｏｒａｔｉｏｎ製Ｅｔｈａｎｏｘ４７０１（Ｅ−４７０１））とブレンドした。製剤を１６日間日光に暴露させた。結果を以下の表３に示す。
【表３】
0005911512.tif 000004
【００３３】
結果は、ＤＢＨＡを含有する鉱物油が、ＤＢＨＡを有さないものよりも光暴露に対して色安定性であることを示している。結果はまた、Ｅ−４７０１を用いた製剤、ＤＢＨＡを用いない製剤が、ＢＨＴを用いた製剤よりもかなり色感受性であったことも示す。
実施例１６〜２１
標準色でない鉱物油の色の低減
【００３４】
２，６−ジ−ｔｅｒｔ−ブチルフェノール（Ａｌｂｅｍａｒｌｅ  Ｃｏｒｐｏｒａｔｉｏｎ製Ｅｔｈａｎｏｘ４７０１（Ｅ−４７０１））を含有する、約５重量％の芳香族炭化水素、約５重量％のナフテン系炭化水素、および約９０重量％のパラフィン系炭化水素を含有する標準色でない鉱物油（ＡＰＨＡ色４０１）をＤＢＨＡとブレンドし、３０℃、５０℃および７０℃の温度で０〜５時間穏やかに加熱した。色数（ＡＰＨＡスケール）をＡＳＴＭ  Ｄ１２０９によって決定した。
【表４】
0005911512.tif 000005
【００３５】
結果は、油含有ＤＢＨＡを３０℃以上で加熱したとき、鉱物油のＡＰＨＡ色を低減させたことを示している。
実施例２２〜２４
４，４’−メチレンビス（２，６−ジ−ｔｅｒｔ−ブチルフェノール）を用いた老化した鉱物油製剤の色数変化
【００３６】
約２５重量％の芳香族炭化水素、約６５重量％のナフテン系炭化水素、および約１０重量％のパラフィン系炭化水素を含有する鉱物油を、ＤＢＨＡを用いおよび用いずに４，４’−メチレンビス（２，６−ジ−ｔｅｒｔ−ブチルフェノール）（Ａｌｂｅｍａｒｌｅ  Ｃｏｒｐｏｒａｔｉｏｎ製Ｅｔｈａｎｏｘ４７０２（Ｅ−４７０２））とブレンドした。上記サンプルを２００℃の従来のオーブンに２時間入れ、次いでサンプルの色数を測定した。オーブン温度を８０℃に低下させ、該温度で長時間保持し、色数の測定値を１、４および２４時間の間隔で採取した。データは、Ｅ−４７０２とＤＢＨＡとの混合物が、Ｅ−４７０２を含有する鉱物油の変色を低減させるだけでなく、加熱老化プロセスの間の鉱物油自体の変色も有意に低減させることを示している。
【表５】
0005911512.tif 000006
【００３７】
本明細書またはその特許請求の範囲のあらゆる箇所における化学名または式によって称される構成要素は、単数であっても複数であっても、化学名または化学型によって称される別の物質（例えば、別の構成要素、溶媒など）と接触する前に存在しているものとして特定される。化学変化、変換および／または反応は、存在する場合、かかる変化、変換および／または反応が本開示に準じて示される条件下に特定の構成要素を一緒にした必然的な結果であるときには、得られる混合物または溶液中で起こることは重要ではない。したがって、これらの構成要素は、所望の操作を実施することに関連して、または所望の組成物を形成する際に、一緒にされるべき成分として識別される。また、以下の特許請求の範囲が物質、構成要素および／または成分を現在時制（「含む」、「である」など）で称していても、本開示に従って１種以上の他の物質、構成要素および／または成分と初めに接触、ブレンドまたは混合された直前のときに存在しているとして物質、構成要素または成分を称している。物質、構成要素または成分は、本開示に従って化学者によって行われると、接触、ブレンドまたは混合操作の間に化学反応または変換を通してその元来の同一性を失い得るという事実は、したがって実用上の関心事ではない。
【００３８】
本明細書に記載され特許請求の範囲における発明は、本明細書に開示されている具体的な例および実施形態によって範囲が限定されるべきではない、なぜなら、これらの例および実施形態は、本発明のいくつかの態様の説明として意図されているからである。あらゆる等価の実施形態が、本発明の範囲内にあることが意図される。実際、以上の記載から、本明細書に示して記載されているものに加えて、本発明の種々の変形が当業者に明らかになろう。かかる変形もまた、添付の特許請求の範囲内にあると意図される。